(57)【特許請求の範囲】
【請求項１】
一対の桁と、
前記一対の桁上に設けられ、踏み板を形成する１以上の段板部材と、
前記桁に固定され、前記段板部材を固定支持する支持部材と、を備え、
前記段板部材は、表面に化粧段板を有し、裏面に化粧段板受金具を有し、
前記化粧段板と前記化粧段板受金具と前記支持部材とが、固定具を貫通させて固定され、
前記化粧段板受金具は、前記段板部材同士の間に開放された空間部に向けて下方に突出された突出部を有し、
前記突出部は、前記空間部の略１／２の寸法に形成された前記段板部材の踏み抜けを防止する踏み抜け防止部であることを特徴とする階段。
【請求項２】
前記化粧段板は、プラスチック再生複合材によるハニカム構造の強度保持部材と、前記強度保持部材の表面を覆う木材製の表面仕上材とにより形成されている請求項１に記載の階段。
【請求項３】
前記化粧段板受金具は、前記一対の桁の一方の桁から他方の桁まで延在され、前記支持部材に固定支持されていることを特徴とする請求項１または請求項２に記載の階段。
【請求項４】
前記突出部は、前記化粧段板受金具の段鼻側の端部に設けられているとともに、前記化粧段板受金具の前記段鼻側とは反対側に第２の突出部を有することを特徴とする請求項１〜３のいずれか１項に記載の階段。
【請求項５】
上方の床と下方の床との間に中間踊場を有するとともに、前記中間踊場と下方の床との間に設けられた下部階段と、前記中間踊場と上方の床との間に設けられた上部階段と、を有することを特徴とする請求項１〜４のいずれか１項に記載の階段。
【請求項６】
前記支持部材は、前記桁と前記段板部材との間に立設された板状の本体部と、この本体部の下端部から折曲されて前記桁に当接状態で固定された桁固定フランジと、前記本体部の上端部から、前記桁固定フランジとは逆方向に折曲された段板支持フランジと、によりＺ型状に形成されていることを特徴とする請求項１〜５のいずれか１項に記載の階段。
【発明の詳細な説明】
【技術分野】
【０００１】
本発明は、階段に関するものである。
【背景技術】
【０００２】
従来、階段として、足を乗せる踏面を形成する段板部材と段板部材との間を空間とし、軽量かつ開放感が得られるようにしたものが知られている（例えば、特許文献１〜３参照）。
また、階段として、段板部材の踏面に蹴込面を一体に形成した略Ｌ字断面状に形成したり、段板部材と段板部材との間に底板部を設けたりして、段板部材と段板部材との間の空間部を塞いだものが知られている（例えば、特許文献４、特許文献５参照）。
【先行技術文献】
【特許文献】
【０００３】
【特許文献１】特開２００７−１４６４９９号公報
【特許文献２】特開２００５−３２０７７５号公報
【特許文献３】特開２０１４−４７５７８号公報
【特許文献４】特開２０１４−１７７７６２号公報
【特許文献５】特開２０１３−１９１７０号公報
【発明の概要】
【発明が解決しようとする課題】
【０００４】
しかしながら、特許文献１〜３の技術のように、段板部材と段板部材との間が開放された階段は、軽量かつ開放感は得られるものの、階段下からの目線を遮ることができないという問題を有するとともに、意匠上の自由度が低いという問題を有する。
一方、特許文献４，５のように、段板部材と段板部材との間が、完全に閉じられた階段では、階段下からの目線は遮ることができるものの、開放感に乏しく、また、階段の下のスペースが暗くなるという問題を有する。
【０００５】
本発明は、上述の従来の問題に着目して成されたもので、開放感を有し、かつ、階段下からの目線を遮りつつ、意匠性を高めることができる階段を提供することを目的としている。
【課題を解決するための手段】
【０００６】
前記目的を達成するために、本発明の階段は、
一対の桁と、
前記一対の桁上に設けられ、踏み板を形成する１以上の段板部材と、
前記桁に固定され、前記段板部材を固定支持する支持部材と、を備え、
前記段板部材は、表面に化粧段板を有し、裏面に化粧段板受金具を有することを特徴とする階段とした。
【０００７】
なお、前記化粧段板受金具は、前記一対の桁の一方の桁から他方の桁まで延在され、前記支持部材に固定支持されている構成とするのが好ましい。
また、前記化粧段板受金具は、前記段板部材の下方に形成された空間部内に突出した突出部を有する構成とするのが好ましい。
また、前記突出部は、前記段板部材の踏み抜けを防止する踏み抜け防止部としてもよい。あるいは、前記突出部は、前記空間部を通る視線を遮る目隠し部としてもよい。
さらに、前記突出部は、前記化粧段板受金具の段鼻側の端部に設けられているとともに、前記化粧段板受金具の前記段鼻側とは反対側に第２の突出部を有する構成とするのが好ましい。
また、上方の床と下方の床との間に中間踊場を有するとともに、前記中間踊場と下方の床との間に設けられた下部階段と、前記中間踊場と上方の床との間に設けられた上部階段と、を有する構成としてもよい。
さらに、前記支持部材は、前記桁と前記段板部材との間に立設された板状の本体部と、この本体部の下端部から折曲されて前記桁に当接状態で固定された桁固定フランジと、前記本体部の上端部から、前記桁固定フランジとは逆方向に折曲された段板支持フランジと、によりＺ型状に形成された構成とするのが好ましい。
【発明の効果】
【０００８】
本発明の階段では、踏み板を形成する段板部材を備える構成として、開放感を有しつつ、段板部材の表面に化粧段板を設けるとともに、裏面に化粧段板受金具を有することにより、意匠性を高めることができる。さらに、段板部材の裏面の化粧段板受金具により、段板部材の下方の空間の目線を遮ることが可能である。
よって、開放感を有し、かつ、階段下からの目線を遮りつつ、意匠性を高めることができる階段を提供することができる。
【０００９】
また、化粧段板受金具が、前記一対の桁の一方の桁から他方の桁まで延在されたものでは、段板部材の剛性および強度を確実に確保することができる。
さらに、化粧段板受金具が、突出部を有するものでは、目線を遮る効果を確実に得ることができるとともに、化粧段板受金具および段板部材の剛性を確保することができる。加えて、階段の形状や高さが変わっても、この突出部の突出代を適宜設定することにより、上記の目線を遮る機能および意匠性を高める効果を確実に得ることができる。
また、突出部として踏み抜け防止部を有するものでは、段板部材における踏み抜けを抑制できる。
そして、突出部として目隠し部を有するものでは、目線を遮る効果を確実に得ることができる。
突出部が、化粧段板受金具の段鼻側の端部に設けられ、さらに、化粧段板受金具の段鼻側とは反対側に第２の突出部を有するものでは、化粧段板受金具および段板部材の剛性をさらに向上させることができる。加えて、支持部材を固定する際の化粧段板受金具に対する位置決め作業性を向上させることが可能となる。
中間踊場と下方の床との間に設けられた下部階段と、前記中間踊場と上方の床との間に設けられた上部階段と、を有する廻り階段としたものでは、廻り階段において、上記の効果を得ることができる。
また、支持部材をＺ型状に形成したものでは、段板部材への固定時に、良好な作業性を得ることができる。
【図面の簡単な説明】
【００１０】
【図１】本発明の実施の形態１の階段の設置状態を示す斜視図である。
【図２】本発明の実施の形態１の階段の設置状態を図１とは逆方向から見た状態で示す斜視図である。
【図３】実施の形態１の階段における下部階段を示す斜視図である。
【図４】実施の形態１の階段における上部階段を示す斜視図である。
【図５】前記下部階段の要部を拡大して示す側面図であり、図１のＫ５の部分を示す。
【図６】前記下部階段の要部を拡大して示す側面図であり、図１のＫ６の部分を示す。
【図７】実施の形態１の階段に用いた支持部材を示す図であり、（ａ）は支持部材の平面図、（ｂ）は支持部材の側面図、（ｃ）は支持部材の底面図、（ｄ）は支持部材の正面図である。
【図８】前記上部階段の要部を拡大して示す側面図であり、図２のＫ８の部分を示す。
【図９】前記上部階段の要部を拡大して示す側面図であり、図２のＫ９の部分を示す。
【図１０】実施の形態１の階段に用いた第１の段板部材および支持部材を前記段板部材の裏面側から見た斜視図である。
【図１１】実施の形態１の階段に用いた第２の段板部材および支持部材を前記段板部材の裏面側から見た斜視図である。
【図１２】第１の段板部材および第２の段板部材に用いる化粧段板を示す図であり、（ａ）は化粧段板の正面図、（ｂ）は化粧段板の底面図、（ｃ）は化粧段板の断面図であって、前記（ｂ）のＳ１２−Ｓ１２線の位置での断面を示す。
【図１３】実施の形態１の階段に用いた第１の段板部材における化粧段板受金具を示す図であり、（ａ）は化粧段板受金具の正面図、（ｂ）は化粧段板受金具の平面図、（ｃ）は化粧段板受金具の背面図、（ｄ）は化粧段板受金具の側面図である。
【図１４】実施の形態１の階段に用いた第２の段板部材における化粧段板受金具を示す図であり、（ａ）は化粧段板受金具の正面図、（ｂ）は化粧段板受金具の平面図、（ｃ）は化粧段板受金具の背面図、（ｄ）は化粧段板受金具の側面図である。
【発明を実施するための形態】
【００１１】
以下、本発明の実施の形態について図面を参照して説明する。
（実施の形態１）
まず、実施の形態１の階段Ａの構成を説明する。
図１は、実施の形態１の階段Ａを建物に設置した状態を示す斜視図である。
この図１に示すように、実施の形態１の階段Ａは、建物（図示省略）の１階床Ｆ１と２階床Ｆ２との間に中間踊場ＦＭを有し、この中間踊場ＦＭで折り返した廻り階段状に設けられたもので、下部階段１０と上部階段２０とを備える。
【００１２】
すなわち、下部階段１０は、１階床Ｆ１と中間踊場ＦＭとの間に架け渡されている。また、上部階段２０は、図２にも示すように、中間踊場ＦＭと２階床Ｆ２との間に架け渡されている。なお、下部階段１０には、図３に拡大して示すように、第１の段板部材３０が、６段設けられている。一方、上部階段２０は、図４に拡大して示すように、下から１段目から４段にかけて第１の段板部材３０が設けられ、最上段である下から５段目に第２の段板部材４０が設けられている。なお、図において矢印ＵＰの方向が上方であり、矢印ＤＮの方向が下方である。また、この上下方向に直交し、図３の下部階段１０において昇降の方向に対して矢印Ｌの方向を左方向、矢印Ｒの方向を右方向とする。よって、下部階段１０に対して昇降方向が１８０度異なる上部階段２０では、図３とは逆方向から見た図４では矢印Ｒと矢印Ｌの方向が図３とは逆方向となる。
【００１３】
以下に、下部階段１０および上部階段２０について説明する。
まず、図３に示す下部階段１０の構成について説明する。
下部階段１０は、左右一対の桁１１，１１と、桁１１，１１の上に架け渡される複数段（６段）の段板部材３０と、段板部材３０を桁１１，１１に固定する一対の支持部材５０（図５、図６参照）と、を備える。
【００１４】
桁１１は、金属製板材により、図３に示すように、上下方向では側板１１ａの上下に上板１１ｂおよび下板１１ｃを備えた略コの字断面形状に形成されている。
また、桁１１の上板１１ｂには、後述する支持部材５０を固定するのにあたり、ボルト５１を挿通するためのボルト挿通穴（図示省略）が、支持部材５０の固定位置に対応する位置に貫通して形成されている。
【００１５】
一方、桁１１の側板１１ａの上下方向の端部には、それぞれ、上板１１ｂ、下板１１ｃに連続するように折り曲げられた上端部フランジ１１ｄおよび下端部フランジ１１ｅが一体に形成されている。
【００１６】
なお、下部階段１０の桁１１では、下端部フランジ１１ｅは、図５に示すように、水平方向に沿う方向を向いて形成されている。
そして、下部階段１０の桁１１の下端部フランジ１１ｅは、図５に示すように、１階床Ｆ１の下側に設けられた桁支持部材６０に固定具としてのボルト１２およびナット１３により固定されている。なお、下端部フランジ１１ｅには、図示は省略するが、ボルト１２を挿通する一対のボルト挿通穴が貫通して形成されている。
【００１７】
一方、桁１１の上端部フランジ１１ｄは、図６に示すように、中間踊場ＦＭに設けられた踊場下側梁８１に、固定具としてのボルト１４およびナット１５により固定されている。なお、上端部フランジ１１ｄも、図３に示すように、ボルト１２を挿通する一対のボルト挿通穴１１ｆ，１１ｆが貫通して形成されている。
【００１８】
段板部材３０は、図３に示すように、左右一対の桁１１，１１の上に架け渡され、上下方向に一定の間隔（蹴上寸法）で６段設けられ、段板部材３０同士の間は、空間部７０として開放されている。なお、段板部材３０は、詳細については後述するが、図１０に示すように、支持部材５０に固定具としての螺子５２により固定され、この支持部材５０が、図５、図６に示すように、固定具としてのボルト５１およびナット５３により桁１１に固定されている。
【００１９】
支持部材５０は、金属製の板材により形成され、図７（ａ）（ｂ）（ｃ）（ｄ）に示すように、本体部５０ａと、桁固定フランジ５０ｂと、段板支持フランジ５０ｃと、により略Ｚ型状に形成されている。
本体部５０ａは、台形の板状に形成され、上下方向（矢印ＵＰ、ＤＮ方向）に沿って設けられている。
桁固定フランジ５０ｂは、本体部５０ａの下端を略直角に折曲して本体部５０ａに一体に形成されている。そして、この桁固定フランジ５０ｂは、固定具としてのボルト５１により桁１１の上板１１ｂに固定されている。なお、桁固定フランジ５０ｂには、図７（ｃ）に示すように、ボルト５１を挿通するための２つのボルト挿通穴５０ｄが貫通して形成されている。
【００２０】
段板支持フランジ５０ｃは、本体部５０ａの上端を桁固定フランジ５０ｂとは逆方向に略直角に折曲して本体部５０ａに一体に形成され、図５、図６に示すように、桁固定フランジ５０ｂを桁１１の上板１１ｂに当接させた状態で水平に配置される。そして、この段板支持フランジ５０ｃに、第１の段板部材３０および第２の段板部材４０が、螺子５２により固定される。なお、段板支持フランジ５０ｃは、図７（ａ）などに示すように、螺子５２を挿通するための３つの螺子穴５０ｅが貫通して形成されている。
【００２１】
なお、支持部材５０を桁１１に固定する固定具としては、図示のボルト５１以外にも、ビス、螺子など他の部材を用いることができる。
【００２２】
次に、図４に示す上部階段２０について説明する。なお、上部階段２０の構成を説明するのにあたり、下部階段１０と同様の構成には同じ符号を付して説明を省略する。
上部階段２０も、左右一対の桁１１，１１と、桁１１，１１の上に架け渡される段板部材３０および第２の段板部材４０と、両段板部材３０，４０をそれぞれ支持して桁１１に固定する支持部材５０を備える。
【００２３】
桁１１は、下部階段１０にて説明したように、側板１１ａ、上板１１ｂ、下板１１ｃにより、上下方向でコの字断面形状に形成されている。また、側板１１ａの上端部および下端部には、それぞれ、上端部フランジ１１ｄおよび下端部フランジ１１ｅが形成されている。なお、上部階段２０では、下端部フランジ１１ｅが、下部階段１０のものと異なり、図４，図８に示すように、上下方向に起立した形状となっている。そして、下端部フランジ１１ｅに、後述するボルト１６を挿通する一対のボルト挿通穴１１ｇ，１１ｇ（図４参照）が貫通して形成されている。
【００２４】
また、上部階段２０では、下から１段目〜４段目には、第１の段板部材３０が設けられ、最上段である下から５段目のみ第２の段板部材４０が設けられている。なお、上部階段２０にあっても、各段板部材３０，４０は、上下方向に一定の間隔（蹴上寸法）で配置され、各段板部材３０，４０の間は、空間部７０として開放されている。
【００２５】
そして、上部階段２０の桁１１の下端部は、図８に示すように、中間踊場ＦＭに設けられた踊場上側梁８２に固定具としてのボルト１６およびナット１７により固定されている。
一方、桁１１の上端部は、図９に示すように、２階床Ｆ２に設けられた２階下側梁８３に、固定具としてのボルト１８およびナット１９により固定されている。
【００２６】
次に、第１の段板部材３０および第２の段板部材４０を図１０、図１１に基づいて説明する。なお、図１０実施の形態１の階段Ａに用いた第１の段板部材３０および支持部材５０を段板部材３０の裏面側から見た斜視図であり、図１１は実施の形態１の階段Ａに用いた第２の段板部材４０および支持部材５０を段板部材４０の裏面側から見た斜視図である。
【００２７】
第１の段板部材３０は、図１０に示すように、表面側（矢印ＵＰ方向側）に化粧段板３１を有するとともに、裏面側（矢印ＤＮ方向側）に化粧段板受金具３２を有する。
第２の段板部材４０は、図１１に示すように、表面側（矢印ＵＰ方向側）に第１の段板部材３０と共通の化粧段板３１を有するとともに、裏面側（矢印ＤＮ方向側）に化粧段板受金具４２を有する。
【００２８】
まず、両段板部材３０，４０に共通する化粧段板３１の構成を図１２に基づいて説明する。
図１２は、化粧段板３１を示す図であり、（ａ）は化粧段板の正面図、（ｂ）は化粧段板３１の底面図、（ｃ）は化粧段板３１の断面図（（ｂ）のＳ１２−Ｓ１２線の位置の断面）である。
【００２９】
図１２（ｃ）に示すように、化粧段板３１は、踏板部３１ａと、この踏板部３１ａの段鼻から垂下された段鼻フランジ部３１ｂとによりＬ字断面形状に形成されている。
また、化粧段板３１は、プラスチック再生複合材によりハニカム構造などの強度を有した構造に形成された強度保持部材３１１の表面が、木材製の表面仕上材３１２により覆われて木材としての意匠が与えられている。
なお、踏板部３１ａの左右には、それぞれ、支持部材５０の段板支持フランジ５０ｃに形成された３つの螺子穴５０ｅと軸心が一致する位置の３箇所に、所定深さの溝孔３１ｄが形成されている。
【００３０】
化粧段板受金具３２は、図１０に示すように、化粧段板３１の裏面（図において上面）に、螺子５２により支持部材５０の段板支持フランジ５０ｃと共に固定されている。この段板支持フランジ５０ｃは、前述したように桁１１に固定されるため、化粧段板受金具３２は、一方の桁１１から他方の桁１１まで延在して橋渡し状に設けられる。
【００３１】
また、化粧段板受金具３２は、各段板部材３０，４０の荷重を負担するものであり、金属板材により形成され、図１０および図１３に示すように、ベース板部３２ａと踏み抜け防止部３２ｂとフランジ部３２ｃとにより、略逆Ｕ字断面形状に形成されている。
【００３２】
ベース板部３２ａは、略長方形の平面形状に形成され、その全面が、化粧段板３１の踏板部３１ａの裏面に接着剤により接着される。さらに、ベース板部３２ａの左右には、それぞれ、支持部材５０の段板支持フランジ５０ｃに形成された３つの螺子穴５０ｅと軸心が一致する位置の３箇所に、螺子５２を挿通するための螺子穴３２ｄが貫通して形成されている。
【００３３】
踏み抜け防止部３２ｂは、突出部としてベース板部３２ａの段鼻側の端部から下方に突出され、その下端部は、昇降時に万が一足先が当たった際に引っ掛かることの無いよう踏み面の奥方向に折曲されている。また、踏み抜け防止部３２ｂの上下方向の寸法は、図８に示すように、段板部材３０の間の空間部７０の略１／２の寸法を有する。
【００３４】
フランジ部３２ｃは、第２の突出部として、ベース板部３２ａの踏み抜け防止部３２ｂとは反対側の蹴込み側の端部から下方に突出され、踏み抜け防止部３２ｂの上下方向寸法よりも短い寸法に形成されている。なお、支持部材５０の段板支持フランジ５０ｃは、突出部および第２の突出部としての踏み抜け防止部３２ｂとフランジ部３２ｃとの間に収まる寸法に形成されている。
【００３５】
第２の段板部材４０の化粧段板受金具４２は、化粧段板受金具３２と同様に、金属製板材により形成され、かつ、図１１、図１４に示すように、ベース板部４２ａと目隠し部４２ｂとフランジ部４２ｃとにより、略逆Ｕ字断面形状に形成されている。
【００３６】
化粧段板受金具４２における化粧段板受金具３２との相違点は、目隠し部４２ｂの上下方向寸法が踏み抜け防止部３２ｂよりも大きな寸法に形成され、第２の段板部材４０とその下方の段板部材３０との間の空間部７０をほぼ塞ぐことができる寸法に形成されている。
【００３７】
なお、ベース板部４２ａの左右には、それぞれ、支持部材５０の段板支持フランジ５０ｃに形成された３つの螺子穴５０ｅと軸心が一致する位置の３箇所に、螺子５２を挿通するための螺子穴４２ｄが貫通して形成されている。
また、第２の段板部材４０にあっても、突出部および第２の突出部としての目隠し部４２ｂとフランジ部４２ｃとの間隔は、両者４２ｂ，４２ｃの間に支持部材５０の段板支持フランジ５０ｃが収まる寸法に形成されている。
【００３８】
（実施の形態１の作用）
次に、実施の形態１の階段Ａの作用を説明する。
下部階段１０および上部階段２０は、予め工場で組み立てておき、建設現場にて各床Ｆ１，Ｆ２および中間踊場ＦＭに組み付ける。
【００３９】
そこで、まず、工場における各階段１０，２０の組立手順を説明する。
【００４０】
＜段板部材組立工程＞
各階段１０，２０を組み立てる際には、予め、第１の段板部材３０および第２の段板部材４０を組み立てる。
段板部材３０は、図１０に示すように、化粧段板３１を、その踏板部３１ａの裏面が上を向くように載置し、踏板部３１ａの裏面の左右方向の全長に亘って接着剤ＳＥを、筋状に複数条塗布する。
【００４１】
そして、その上に化粧段板受金具３２のベース板部３２ａを押し付けて、踏板部３１ａの裏面にベース板部３２ａを接着し、段板部材３０を形成する。なお、この際に、化粧段板３１の踏板部３１ａに形成された溝孔３１ｄと、化粧段板受金具３２のベース板部３２ａに形成された螺子穴３２ｄとの位置を一致させる。
【００４２】
次に、段板部材３０に一対の支持部材５０，５０を固定する。
このとき、支持部材５０の段板支持フランジ５０ｃを、踏み抜け防止部３２ｂとフランジ部３２ｃとの間に配置し、概略の位置合わせをした後、段板支持フランジ５０ｃの３つの螺子穴５０ｅの位置をベース板部３２ａの３つの螺子穴３２ｄの位置に一致させる。そして、螺子５２を各螺子穴５０ｅ，３２ｄに挿通しながら、化粧段板３１の踏板部３１ａの溝孔３１ｄにねじ込んで、支持部材５０を段板部材３０に固定する。
【００４３】
第２の段板部材４０にあっても、その組立手順は、上記の第１の段板部材３０と同様であり、相違点は、図１１に示すように、化粧段板３１の踏板部３１ａに接着するのが化粧段板受金具４２である点である。
【００４４】
＜下部階段、上部階段組立工程＞
次に、下部階段１０および上部階段２０の組立手順を、下部階段１０を代表して説明する。
下部階段１０を組み立てる場合、まず、一対の桁１１，１１を、左右方向に所定の間隔で離して、平行に配置する。
【００４５】
次に、桁１１，１１に、所定の数（本実施の形態１では６）の段板部材３０を固定する。この場合、支持部材５０の桁固定フランジ５０ｂのボルト挿通穴５０ｄに予めボルト５１を挿通しておく。そして、これらのボルト５１が、桁１１の上板１１ｂの所定位置に開口されたボルト挿通穴（図示省略）に挿通されるように、段板部材３０を桁１１，１１の上に配置する。そして、桁１１の下側からボルト５１にナット５３を締結し、支持部材５０および段板部材３０を固定する。
【００４６】
上部階段２０にあっても、第１の段板部材３０を一対の桁１１，１１に固定する手順は、上記の下部階段１０と同様である。また、本実施の形態１では、第２の段板部材４０については、建設現場での組み付けとし、上部階段組立工程では組み付けないものとする。
【００４７】
＜建物組付工程＞
次に、建設現場において、建物の各床Ｆ１、Ｆ２および中間踊場ＦＭに、下部階段１０および上部階段２０を組み付ける作業の手順を説明する。
【００４８】
まず、下部階段１０を組み付ける場合、下部階段１０を、図外のクレーンなどにより吊り下げて、建物の設置位置に運ぶ。
そして、上端部フランジ１１ｄに開口されたボルト挿通穴１１ｆ、１１ｆを、シノなどを用いて踊場下側梁８１のボルト挿通穴（図示省略）の位置に一致させて、桁１１，１１を中間踊場ＦＭに対して位置を合わせ、仮固定する。
【００４９】
次に、図５に示すように、ボルト１２を桁１１の下端部フランジ１１ｅに開口されたボルト挿通穴（図示省略）を挿通させて桁支持部材６０のナット１３に締結し、桁１１の下端部を１階床Ｆ１に固定する。
【００５０】
次に、図６に示すように、ボルト１４を桁１１の上端部フランジ１１ｄに開口されたボルト挿通穴１１ｆ（図３参照）および踊場下側梁８１のボルト挿通穴（図示省略）に挿通し、踊場下側梁８１の側からナット１５をボルト１４に締結して、桁１１の上端部を、中間踊場ＦＭに固定する。
以上により、下部階段１０を、１階床Ｆ１と中間踊場ＦＭとに架け渡して設置を終える。
【００５１】
次に、上部階段２０を、中間踊場ＦＭと２階床Ｆ２との間に設置する。
この場合、上部階段２０を、図外のクレーンなどにより吊り下げて、中間踊場ＦＭと２階床Ｆ２との間の設置位置に運ぶ。
そして、桁１１の上端部フランジ１１ｄに開口されたボルト挿通穴１１ｆ（図４参照）を、シノなどを用いて２階床Ｆ２の２階下側梁８３のボルト挿通穴（図示省略）の位置に一致させるとともに、桁１１の下端部フランジ１１ｅに開口されたボルト挿通穴１１ｇ（図４参照）を、踊場下側梁８１の踊場上側梁８２のボルト挿通穴（図示省略）の位置に一致させて、桁１１，１１を仮固定する。
【００５２】
次に、図８に示すように、ボルト１６を桁１１の下端部フランジ１１ｅに開口されたボルト挿通穴１１ｇ（図４参照）および踊場下側梁８１の踊場上側梁８２のボルト挿通穴（図示省略）に挿通させ、踊場上側梁８２の側からナット１７をボルト１６に締結して、桁１１の下端部を中間踊場ＦＭに固定する。
【００５３】
さらに、図９に示すように、ボルト１８を桁１１の上端部フランジ１１ｄに開口されたボルト挿通穴１１ｆ（図４参照）および２階床Ｆ２の２階下側梁８３のボルト挿通穴（図示省略）に挿通し、２階下側梁８３に溶着されたナット１９に締結して、桁１１の上端部を、２階床２Ｆに固定する。
【００５４】
その後、上部階段２０の一対の桁１１，１１の上端部の所定位置に、第２の段板部材４０を配置し、予め支持部材５０の桁固定フランジ５０ｂのボルト挿通穴５０ｄに挿通したボルト５１を、桁１１の上板１１ｂの所定位置に開口されたボルト挿通穴（図示省略）に挿通し、桁１１の下側からボルト５１にナット５３を締結し、支持部材５０および第２の段板部材４０を桁１１，１１に固定する。
以上により、下部階段１０、上部階段２０を設置することにより、階段Ａが完成する。
【００５５】
（実施の形態１の効果）
以下に、実施の形態１の階段の効果を列挙する。
１）実施の形態１の階段Ａは、
一対の桁１１，１１と、
一対の桁１１，１１上に設けられ、踏板（踏板部３１ａ）を形成する１以上の段板部材３０，４０と、
桁１１に固定され、段板部材３０，４０を固定支持する支持部材５０と、を備え、
段板部材３０，４０は、表面に化粧段板３１を有し、裏面に化粧段板受金具３２，４２を有することを特徴とする。
【００５６】
したがって、踏板を形成する段板部材３０，４０を備える構成として、開放感を有しつつ、段板部材３０，４０の表面に化粧段板３１を設けるとともに、裏面に化粧段板受金具３２，４２を有することにより、意匠性を高めることができる。
そして、段板部材３０，４０の裏面に化粧段板受金具３２，４２を有することにより、段板部材３０，４０の下方の空間部７０の目線を遮ることが可能である。
よって、実施の形態１の階段Ａは、開放感を有し、かつ、階段下からの目線を遮りつつ、意匠性を高めることができる。
【００５７】
２）実施の形態１の階段Ａは、
化粧段板受金具３２，４２は、一対の桁１１，１１の一方の桁１１から他方の桁１１まで延在され、支持部材５０に固定支持されていることを特徴とする。
このように、段板部材３０，４０の裏面に設けた金属製の化粧段板受金具３２，４２を、一対の桁１１，１１の間に架け渡して支持部材５０により固定支持するため、段板部材３０，４０の剛性および強度を確実に確保することができる。
【００５８】
３）実施の形態１の階段Ａは、
化粧段板受金具３２，４２は、段板部材３０の下方に形成された空間部７０に突出した突出部（踏み抜け防止部３２ｂ、目隠し部４２ｂ）を有することを特徴とする。
このように、化粧段板受金具３２，４２が下方に突出した突出部を備えるため、目線を遮る効果を確実に得ることができるとともに、突出部を備えないものと比較して、化粧段板受金具３２，４２および段板部材３０，４０の剛性を確保することができる。さらに、階段の形状や高さが変わっても、この突出部（踏み抜け防止部３２ｂ、目隠し部４２ｂ）の突出代を適宜設定することにより、上記１）の目線を遮る機能および意匠性を高める効果を確実に得ることができる。
【００５９】
４）実施の形態１の階段Ａは、
突出部は、段板部材３０の踏み抜けを防止する踏み抜け防止部３２ｂであることを特徴とする。
突出部に踏み抜け防止部としての機能を与えることにより、上記３）の効果に加え、段板部材３０における踏み抜けを抑制できる。
【００６０】
５）実施の形態１の階段Ａは、
突出部は、空間部７０を通る視線を遮る目隠し部４２ｂであることを特徴とする。
このように、突出部に目隠し部としての機能を与えることにより、上記３）の効果に加え、目線を遮る効果を確実に得ることができる。
【００６１】
６）実施の形態１の階段Ａは、
突出部としての踏み抜け防止部３２ｂ、目隠し部４２ｂは、化粧段板受金具３２，４２の段鼻側の端部に設けられているとともに、化粧段板受金具３２，４２の段鼻側とは反対側に第２の突出部としてのフランジ部３２ｃ，４２ｃを有することを特徴とする。
したがって、突出部を１つのみ備えるものと比較して、化粧段板受金具３２，４２および段板部材３０，４０の剛性をさらに向上させることができる。
また、支持部材５０を固定する際の化粧段板受金具３２，４２に対する位置決め作業性を向上させることが可能となる。具体的には、本実施の形態１では、図１０、図１１に示すように、支持部材５０の前後方向位置を、踏み抜け防止部３２ｂとフランジ部３２ｃとにより規定することができるとともに、目隠し部４２ｂとフランジ部４２ｃにより規定することができ、単に化粧段板３１の溝孔３１ｄと螺子穴３２ｄ，４２ｄとを一致させるよう位置決めするものと比較して、作業性に優れる。
【００６２】
７）実施の形態１の階段Ａは、
上方の床（２階床Ｆ２）と下方の床（１階床Ｆ１）との間に中間踊場ＦＭを有するとともに、中間踊場ＦＭと下方の床（１階床Ｆ１）との間に設けられた下部階段１０と、中間踊場ＦＭと上方の床（２階床Ｆ２）との間に設けられた上部階段２０と、を有することを特徴とする。
したがって、廻り階段状の階段Ａを提供できるとともに、この廻り階段状の階段Ａにて、上記１）〜６）の効果を奏する。
【００６３】
８）実施の形態１の階段Ａは、
支持部材５０は、桁１１と段板部材３０，４０との間に立設された板状の本体部５０ａと、この本体部５０ａの下端部から折曲されて桁１１に当接状態で固定された桁固定フランジ５０ｂと、本体部５０ａの上端部から、桁固定フランジ５０ｂとは逆方向に折曲された段板支持フランジ５０ｃと、によりＺ型状に形成されていることを特徴とする。
このように、支持部材５０としてＺ型状のものを用いることにより、コの字状のものを用いるよりも、段板部材３０，４０への固定時に、良好な作業性を得ることができる。すなわち、図１０、図１１に示すように、支持部材５０を段板部材３０，４０に固定するために螺子５２を締結する際に桁固定フランジ５０ｂが邪魔すること無く螺子５２を締結することができる。
【００６４】
９）実施の形態１の階段Ａは、
階段の上部の段板部材に、具体的には、上部階段２０の最上部の段板部材４０に、目隠し部４２ｂを設けたことを特徴とする。
したがって、下部階段１０および上部階段２０の下部では、第１の段板部材３０を用い、空間部７０の間隔を拡げることにより、大きな開放感を確保できる。
一方、階段Ａでは、上部になるほど、空間部７０を通る目線が上向きになるとともに、空間部７０を通る視野が広がるため、階段Ａの上部（具体的には、上部階段２０の最上段）に目隠し部４２ｂを設けることにより、目線を確実に遮ることができる。
【００６５】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００６６】
例えば、実施の形態では、桁の上に段板部材を複数設けた階段を示したが、段板部材は少なくとも一段あればよい。
また、化粧段板受金具は、実施の形態では、桁と桁との間に架け渡された例を示したが、これに限定されず、桁と桁との間の全長に満たない寸法であっても、所望の効果を得ることができる。
【００６７】
また、実施の形態では、突出部を、化粧段板受金具の段鼻側の端部と、その反対側の端部との２箇所に有するものを示したが、突出部の数、位置、延在方向の長さは、実施の形態で示したものに限定されない。すなわち、突出部は、少なくとも１つあれば、目線を遮る効果および意匠性を高める効果を得ることができる。また、その位置は、化粧段板受金具の端部に限らず、中央部に配置してもよい。また、突出部を、実施の形態で示した２箇所に加えて、その中間位置に１または複数設けることもできる。すなわち、突出部の数を多くすることにより、化粧段板受金具の剛性をより高めることができる。なお、この中間の突出部は、その延在方向の長さ、あるいは、形状は、支持部材と干渉しないようにする。
さらに、実施の形態では、突出部として、踏み抜け防止部と目隠し部とを備えたものを示したが、いずれか一方のみを備えた構成としてもよい。
【００６８】
また、実施の形態では、階段として、中間踊場を有する廻り階段とした例を示したが、これに限定されない。例えば、一方向に延在された直階段としてもよいし、平面視がＬ字状の折れ曲がり部分を、１または複数有したかね折れ階段としてもよい。
また、実施の形態では、支持部材は、Ｚ型状のものを示したが、その形状は、これに限定されず、例えば、コの字断面形状のものや、箱形断面形状のものを用いることも可能である。
【符号の説明】
【００６９】
１０   下部階段
１１   桁
２０   上部階段
３０   （第１の）段板部材
３１   化粧段板
３１ａ 踏板部
３１ｂ 段鼻フランジ部
３１ｄ 溝孔
３２   化粧段板受金具
３２ｂ 踏み抜け防止部（突出部）
３２ｃ フランジ部（第２の突出部）
４０   （第２の）段板部材
４２   化粧段板受金具
４２ｂ 目隠し部（突出部）
４２ｃ フランジ部（第２の突出部）
５０   支持部材
５０ａ 本体部
５０ｂ 桁固定フランジ
５０ｃ 段板支持フランジ
７０   空間部
Ａ     階段
Ｆ１   １階床
Ｆ２   ２階床
ＦＭ   中間踊場
【図１】
0006791632.tif 000002
【図２】
0006791632.tif 000003
【図３】
0006791632.tif 000004
【図４】
0006791632.tif 000005
【図５】
0006791632.tif 000006
【図６】
0006791632.tif 000007
【図７】
0006791632.tif 000008
【図８】
0006791632.tif 000009
【図９】
0006791632.tif 000010
【図１０】
0006791632.tif 000011
【図１１】
0006791632.tif 000012
【図１２】
0006791632.tif 000013
【図１３】
0006791632.tif 000014
【図１４】
0006791632.tif 000015